(57)【要約】      （修正有）【課題】絵画用パレットについて、置いた状態でも絵筆保持機能を確保しながら、収納・携帯性に優れたものとする。【解決手段】絵具溜３，４，５を複数設けたパレット面２の周縁部から下向きに延設されてパレット面２を所定高さに支持する周壁９を有し、下面側が開放された中空部材からなる絵画用のパレット１であって、上端面に絵筆を挿入して保持する筆立て孔６０が開口した略筒状の絵筆保持体６，７，８を、パレット面２から突設して備えており、絵筆を筆立て孔６０に挿入することで柄先端が少なくとも周壁９内側に形成される中空部１０に達する深さで保持するものであり、且つ下面側開放部分をパレット面２よりも大きくするように周壁９が傾斜しており、一方のパレット１のパレット面２を他方のパレット１下面側から中空部１０挿入することにより高さ方向に複数重畳可能なものとした。【選択図】図２
0003134912.tif 000002
【実用新案登録請求の範囲】
【請求項１】
絵具溜となる凹部を複数設けたパレット面の周縁部から下向きに延設されて前記パレット面を所定高さに支持する周壁を有し、該周壁の内側に中空部を形成して下面側が開放された中空部材からなる絵画用のパレットであって、
上端面に絵筆を挿入して保持するための筆立て孔が開口した略筒状の絵筆保持体を前記パレット面から少なくとも１以上突設して備えており、前記絵筆を柄から前記筆立て孔に挿入することにより前記柄の先端が少なくとも前記周壁内側に形成される中空部に達する深さで保持するものであり、且つ、前記下面側開放部分を前記パレット面よりも大きくするように前記周壁が傾斜しており、一方の前記パレットのパレット面を他方の前記パレットの下面側から前記中空部に挿入することにより、高さ方向に複数重畳可能としたことを特徴とするパレット。
【請求項２】
所定厚さのシート材を型の内面に密着させ前記型の形状に沿って変形させることにより成型されたことを特徴とする請求項１に記載したパレット。
【請求項３】
前記絵筆保持体は中空構造とされ、前記周壁内側に形成された中空部側への内側開口部分を前記絵筆保持体上端面よりも大きくするように外壁が傾斜しており、前記パレット同士を重ねた場合に一方の前記パレットの絵筆保持体上端面が他方の前記パレットの絵筆保持体内側開口部分から挿入された状態となる、ことを特徴とする請求項１または２に記載したパレット。
【請求項４】
前記パレット面に、前記筆立て孔の内径が異なる複数の前記絵筆保持体を備えたことを特徴とする請求項１，２または３に記載したパレット。
【請求項５】
前記筆立て孔は、前記絵筆保持体上端面の開口部周縁から下向きに延設された所定深さの内壁を有している、ことを特徴とする請求項１，２，３または４に記載したパレット。
【請求項６】
前記内壁は、複数のスリットが縦方向に設けられているとともに深くなるに従って内径を縮小するように傾斜を有しており、該傾斜した内壁が弾性的に拡径方向に変形可能とされ、１つの前記絵筆保持体で柄の太さの異なる複数の前記絵筆を保持可能とされている、ことを特徴とする請求項５に記載したパレット。
【考案の詳細な説明】
【技術分野】
【０００１】
本考案はパレットに関し、殊に、絵筆の柄を挿入して保持するための筆立て孔が設けられた絵画用のパレットに関する。  
【背景技術】
【０００２】
絵画の製作においては、太さや筆質の異なる複数の絵筆から最適なものを選択しながら頻繁に絵筆を使い分けて描くのが一般的である。その複数種類の絵筆を一方の手でパレットとともに保持して他方の手で絵を描くことは容易でないため、例えば実開昭５０−４１６４８号公報に記載されているように、板状のパレットに設けた複数の筆立て孔に複数種類の絵筆を立てて保持することが行われている。
【０００３】
これにより、一方の手でパレットを持ちながら複数の絵筆を同時に保持することができるため、絵筆の使い分けがスムースに行えるようになる。ところが、このような筆立て孔を設けた板状のパレットは、その下方に絵筆の柄先が大きく突出した状態で保持することから、パレットをそのまま置くと絵筆の挿入深さが確保できずに倒れてしまうため、手持ち以外では使用できないという欠点がある。
【０００４】
そこで、たとえば実公昭５３−４３２２６号公報や実開昭６３−１６４０００号公報に記載されているように、筆立て孔の上側開口部からパレット載置面までの高さを得るために脚状の突出片や厚肉部を設けて筆の挿入深さを確保するようにして、筆を立てたまま置いて使用できるパレットが提案されている。
【０００５】
一方、近年趣味として絵画を手軽に楽しんだり、或いは旅行の途中で簡易に絵を描いたりするようなスタイルが普及しており、嵩張りにくく携帯性に優れて持ち運びに便利な絵画用具のニーズが高まっている。例えば、表面に耐水加工を施した紙を複数枚重ねためくり式の使い捨て紙パレットが、安価で収納・携帯性に優れているという理由から広く普及している。
【０００６】
これに対し、前述の載置状態で絵筆を保持可能としたパレットでは、突出片や肉厚部を有するために重く嵩張りやすいものとなって収納・携帯性に欠け、また合成樹脂を射出成型などで複雑な形状に作成する関係でコスト高となりやすいため、近年のニーズに充分に対応することができない。
【特許文献１】実開昭５０−４１６４８号公報
【特許文献２】実公昭５３−４３２２６号公報
【特許文献３】実開昭６３−１６４０００号公報
【考案の開示】
【考案が解決しようとする課題】
【０００７】
本考案は、上記のような問題点を解決しようとするものであり、絵画用パレットについて、置いた状態でも絵筆保持機能を確保しながら収納・携帯性に優れたものとすることを課題とする。
【課題を解決するための手段】
【０００８】
そこで、本考案は、絵具溜となる凹部を複数設けたパレット面の周縁部から下向きに延設されてパレット面を所定高さに支持する周壁を有し、この周壁の内側に中空部を形成して下面側が開放された中空部材からなる絵画用のパレットであって、上端面に絵筆を挿入して保持するための筆立て孔が開口した略筒状の絵筆保持体をパレット面から少なくとも１以上突設して備えており、絵筆を柄から筆立て孔に挿入することにより柄先端が少なくとも周壁内側に形成される中空部に達する深さで保持するものであり、且つ、下面側開放部分をパレット面よりも大きくするように周壁が傾斜しており、一方のパレットのパレット面を他方のパレットの下面側から中空部に挿入することにより、高さ方向に複数重畳可能としたことを特徴とするものとした。
【０００９】
このように、周壁の高さに絵筆保持体の高さを加えたことにより、従来の筆立て孔付パレットよりも絵筆の挿入深さを余分に確保可能として、置いた状態でも安定的に絵筆を保持できるものとなり、薄肉の中空部材からなるものとしたことにより作成容易で軽量化が容易になるとともに複数のパレットを重ねてコンパクトに纏めることを可能として、複数でも嵩張りにくいものとすることができる。
【００１０】
また、このパレットは所定厚さのシート材を型の内面に密着させ型の形状に沿って変形させることにより成型されたものとすれば、軽量でも所定の強度を備えたパレットを簡易に作成できるものとなる。
【００１１】
さらに、上述したパレットにおいて、その絵筆保持体は中空構造とされ、周壁内側に形成された中空部側への内側開口部分をその上端面よりも大きくするように外壁が傾斜しており、パレット同士を重ねた場合に一方のパレットの絵筆保持体上端面が他方のパレットの絵筆保持体内側開口部分から挿入された状態となるものとすれば、複数のパレットを重ねる場合の高さをより低く抑えることが可能となる。
【００１２】
さらにまた、上述したパレットにおいて、そのパレット面に筆立て孔の内径が異なる複数の絵筆保持体を備えているものとすれば、柄の太さの異なる複数種類の絵筆を同時に保持可能なものとなる。
【００１３】
加えて、上述したパレットにおいて、絵筆保持体の筆立て孔はその上端面の開口部周縁から下向きに延設された所定深さの内壁を有したものとすれば、絵筆をより安定的に保持しやすいものとなり、この場合、その内壁は複数のスリットが縦方向に設けられているとともに深くなるに従って内径を縮小するように傾斜を有しており、この傾斜した内壁が弾性的に拡径方向に変形可能とされ、１つの絵筆保持体で柄の太さの異なる複数の絵筆に対応して保持可能とされたものとすれば、少ない絵筆保持体で多様な太さの絵筆に対応できるものとなる。
【考案の効果】
【００１４】
周壁と絵筆保持体により絵筆の挿入深さを確保しながら下面側が開放した中空構造として複数重畳可能なものとした本考案によると、置いた状態でも絵筆保持機能を充分に確保できるとともに、極めて収納・携帯性に優れたものとなる。
【考案を実施するための最良の形態】
【００１５】
以下に、図面を参照しながら本考案を実施するための最良の形態を説明する。
【００１６】
図１は、本実施の形態のパレット１の平面図を示している。パレット１は丸盆の開口側を下向きにしたような形状を有し、全体的に薄肉の中空部材からなるもので、例えば、厚さ１ｍｍ前後の合成樹脂系シートを加熱等により柔軟にした状態で型内に密着させ、プレスまたは吸引により型の形状に沿って変形させること等により、比較的簡易な手順で作成することができる。尚、その素材及び成型方法としては、成型後の強度や製造コストの観点からポリプロピレンシートを用いた真空成型によるものが好適である。
【００１７】
パレット１は、複数の凹部からなる絵具溜３，４，４，・・，５，５，・・がパレット面２の中心から略放射状に設けられており、パレット面２の絵具溜のない平面部分からは、絵筆を挿入して保持するための筆立て孔６０，７０，８０が上端面に開口した略筒状で中空の絵筆保持体６，７，８が上向きに突設されている。また、図２（Ａ）の縦断面図に示すように、このパレット面２を所定高さで支持する周壁９がパレット面２周縁部から下方向に延設されており、その下面側が開放されているとともに内側に中空部１０を形成している。
【００１８】
このような構成のパレット１は、絵筆が倒れないように安定的に保持可能な挿入深さを確保するために従来例のように突出片や肉厚部を設ける必要がなく、図２（Ａ）に示したように簡易な構成で周壁９の高さに絵筆保持体を加えた高さに相当する挿入深さを確保するものであり、パレット１を置いた状態でも極めて安定的に絵筆を保持できるようにした点が、本考案の第１の特徴部分である。
【００１９】
上述したように、パレット１は内側に中空部１０を形成する薄肉の中空部材からなり、従来例と比べて軽量化が実現されたものであるが、周壁９全体に亘って複数のリブ２０が設けられており、全体的にパレットとしての使用に充分耐えうる強度を有している。
【００２０】
中央の絵具溜３を除く絵具溜４，４，４，・・，５，５，５，・・は、図２（Ａ）に示すようにその底面に傾斜を有して遠心方向に浅くなっており、必要とする絵の具の量を調整しやすいものとなっている。また、絵筆保持体６，７，８の各筆立て孔６０，７０，８０の内径は、大、中、小の段階的な大きさとされており、柄の太さの異なる絵筆を各々しっかりと保持できるようになっている。また、これらの筆立て孔６０，７０，８０は、絵筆保持体６，７，８の各上端面の開口部周縁から下向きに延設された内壁６１，７１，８１を有している。
【００２１】
パレット１の筆立て孔６０，７０，８０に絵筆５１，５２，５３を各々挿入して保持した状態を示す図２（Ｂ）の縦断面図を参照して、絵筆５１，５２，５３は各柄の太さに合致した径の筆立て孔を有した絵筆保持体６，７，８に立設された状態で保持されている。この場合、各絵筆５１，５２，５３は、柄先端が中空部１０を通ってパレット１の載置面１００に当接する深さまで挿入されている。
【００２２】
即ち、各絵筆５１，５２，５３の挿入深さは、周壁９の高さに各絵筆保持体６，７，８の各高さを加えた分を確保しており、各筆立て孔６０，７０，８０の内壁６１，７１，８１内周面で柄の外周面に面接触して保持していることも相俟って、極めて安定的な状態で各々保持されている。
【００２３】
図３のパレット１を複数重ねた状態を示す縦断面図を参照して、パレット１は上述したように薄肉の中空部材からなり、その周壁９は下面側開放部分をパレット面２よりも大きくするように傾斜を有しており、一方のパレット１の上面（パレット面２）を他方のパレット１の下面側（開放部分）から中空部１０まで挿入して重ねることを可能とした点が、本考案の第２の特徴部分である。
【００２４】
また、筒状の絵筆保持体６，７，８も各々中空構造となっており、周壁９内側に形成された中空部１０への下側開口部分をその上端面よりも大きくするように外壁が傾斜して円錐台状とされており、図のように同じ位置の絵筆保持体６，６、及び７，７、及び８，８同士が挿入状態で重ねられるようになっている。尚、各内壁６１，７１，８１は深くなるに従って縮径方向に僅かに傾斜しており、これらも互いに僅かに挿入されて重なるようになっている。
【００２５】
さらに、各絵具溜３，４，５についても、その縦向きの側壁が傾斜を有して上下に重ねられるようになっている。従って、上下の密着性を高めることが容易であり、図のようにパレット１，１，１，１，１を重ねた場合の高さを低く抑えることができるものとなり、多数のパレット１を極めてコンパクトな状態に纏めることを可能としている。  
【００２６】
従って、本実施の形態のパレット１は、製造容易で軽量化が容易であることに加え、同一形状のものを縦方向に複数重畳して纏めることによりコンパクト化が可能であるため、不使用時の収納性に優れるとともに持ち運びにも便利であり、極めて携帯性に優れたものである。
【００２７】
図４は、本実施の形態のパレット１において絵筆保持体６，７，８の応用例を示す絵筆保持体６Ｂ部分を拡大した部分平面図である。この絵筆保持体６Ｂは、筆立て孔６０Ｂの開口部の径が前述した絵筆保持体６と同様に大きいが、図５（Ａ）に示すように、内壁６１Ｂが深くなるに従って内径を縮小するように傾斜しており、スリット６５，６５，６５，・・・により内壁６１Ｂは複数の舌片６２，６２，６２，・・・に分割されており、これらが内径を拡大する方向に弾性的に変形可能となっている。（スリット６５は、成型前は線状であり成型により下向きに広がっている）
【００２８】
このような内壁６１Ｂの構成により、図５（Ｂ）に示すように、前述の絵筆保持体８で保持した最も細い絵筆５３を、内壁６１Ｂの下端側でしっかりと保持できるとともに、図５（Ｃ）に示すように、前述の絵筆保持体６で保持した最も太い絵筆５１も内壁６１Ｂの内周面を変形させながら密着させてしっかりと保持することができ、また、絵筆５３，５１の中間のあらゆる太さの絵筆も安定的に保持することが可能である。
【００２９】
以上、述べたように、絵画用のパレットについて、本考案により置いた状態でも絵筆保持機能を確保可能としながら、収納・携帯性に優れたものとすることができた。
【図面の簡単な説明】
【００３０】
【図１】本考案の実施の形態を示す平面図。
【図２】（Ａ）は図１のパレットのＸ−Ｘ線に沿う断面図、（Ｂ）は（Ａ）のパレットの絵筆保持体で絵筆を保持している状態を示す断面図。
【図３】図１のパレットを複数重ねた状態を示す縦断面図。
【図４】図１のパレットの絵筆保持体の応用例を示す拡大した部分平面図。
【図５】（Ａ）は図４の絵筆保持体の縦断面図、（Ｂ），（Ｃ）は（Ａ）の絵筆保持体で絵筆を保持している状態を示す縦断面図。
【符号の説明】
【００３１】
１  パレット、２  パレット面、３，４，５  絵具溜、６，６Ｂ，７，８  絵筆保持体、９  周壁、１０  中空部、５１，５２，５３  絵筆、６０，６０Ｂ，７０，８０  筆立て孔、６１，６１Ｂ，７１，８１  内壁、６２  舌片、６５  スリット、１００  載置面
【図１】
0003134912.tif 000003
【図２】
0003134912.tif 000004
【図３】
0003134912.tif 000005
【図４】
0003134912.tif 000006
【図５】
0003134912.tif 000007